(57)【要約】【課題】  回動ドアによる指詰めを確実に防止することができ、低コスト且つ設置容易な指詰め防止具を提供する。【解決手段】  回動ドアＤの閉鎖時における指詰めを防止するための指詰め防止具１であって、弾性体からなる緩衝部１０と、緩衝部１０をドアＤの上方において吊り下げ支持するための支持部２０と、支持された状態の緩衝部１０から垂下するように取り付けられた把持部３０とを有する。【選択図】  図１
2005036552.tif 000002
【特許請求の範囲】
【請求項１】
回動ドアの閉鎖時における指詰めを防止するための指詰め防止具であって、
弾性体からなる緩衝部と、
前記緩衝部をドアの上方において吊り下げ支持するための支持部と、
支持された状態の前記緩衝部から垂下するように取り付けられた把持部とを有する指詰め防止具。
【請求項２】
前記支持部は、弾性伸縮可能な部材からなる請求項１に記載の指詰め防止具。
【請求項３】
前記緩衝部は、球状体である請求項１又は２に記載の指詰め防止具。
【発明の詳細な説明】
【技術分野】
【０００１】
本発明は、回動ドアの閉鎖時における指詰めを防止するための指詰め防止具に関する。
【背景技術】
【０００２】
ヒンジなどにより開閉自在に取り付けられた回動ドアは、閉鎖時にヒンジ側又はノブ側で指を挟むおそれがあるため、勢いよく閉めると事故の危険性がある。このような指詰めを防止するための装置として、ドアの開閉を緩やかに行うためのドアクローザー（ドアチェック）が従来から知られている。
【０００３】
ところが、ドアクローザーは油圧機構を構成する必要があるため、一般家庭のドアに用いるには高価であり設置も困難であった。また、ドアクローザーの機能を確実に発揮させるためには定期的な調整が必要になり、面倒であるという問題もあった。
【発明の開示】
【発明が解決しようとする課題】
【０００４】
本発明は、このような事情に鑑みなされたものであって、回動ドアによる指詰めを確実に防止することができ、低コスト且つ設置容易な指詰め防止具の提供を目的とする。
【課題を解決するための手段】
【０００５】
本発明の前記目的は、回動ドアの閉鎖時における指詰めを防止するための指詰め防止具であって、弾性体からなる緩衝部と、前記緩衝部をドアの上方において吊り下げ支持するための支持部と、支持された状態の前記緩衝部から垂下するように取り付けられた把持部とを有する指詰め防止具により達成される。
【０００６】
この指詰め防止具において、前記支持部は弾性伸縮可能な部材からなることが好ましい。また、前記緩衝部は球状体であることが好ましい。
【発明の効果】
【０００７】
本発明によれば、指詰めを確実に防止することができ、低コスト且つ設置容易な指詰め防止具を提供することができる。
【発明を実施するための最良の形態】
【０００８】
以下、本発明の実態形態について添付図面を参照して説明する。図１は、本発明の一実施形態に係る指詰め防止具を示す正面図である。
【０００９】
同図に示すように、指詰め防止具１は、緩衝部１０と、緩衝部１０を吊り下げ支持する支持部２０と、支持された緩衝部１０から垂下する把持部３０とを備えている。
【００１０】
緩衝部１０は、発泡ウレタンや合成ゴムなどの弾性変形可能な球状体から構成されており、中心を通過するように貫通する貫通孔１２を有している。支持部２０は、ゴム紐などの細長の弾性伸縮可能な部材からなり、指詰め防止具１を壁面などに取り付けるための取付用リング２２が一端側に設けられている。支持部２０の他端側は、緩衝部１０の貫通孔１２に挿通されて円盤状の抜止片１４に取り付けられており、緩衝部１０が支持部２０により支持可能に構成されている。抜止片１４は、紐状体が挿通される挿通リング１４１を有しており、挿通リング１４１に挿通された紐状体の端部同士を結ぶことによりループ状の把持部３０が形成されている。
【００１１】
以上の構成を備える指詰め防止具１は、図２に示すように、ドアＤの上方壁面に吸盤フックなどを取り付け、このフックに取付用リング２２を引っかけることにより、ドアＤの上方において支持される。取付用リング２２の取り付け位置は、図示のように、緩衝部１０の中心高さがドアＤの上縁と略一致するように設定することが好ましい。
【００１２】
このように支持された指詰め防止具１は、ドアが完全に閉じられた状態から開放していくと、図３（ａ）に示すように、緩衝部１０が支持部２０に引っ張られてドアＤの表面に沿って迫り上がる。そして、ドアＤがある程度開いた状態で緩衝部１０がドアＤの上縁を乗り越えて反対側に落ち込み、図３（ｂ）に示す状態となる。この状態でドアＤを閉鎖していくと、図３（ｃ）に示すように、フレームＦの上部とドアＤの上縁部との間に緩衝部１０が挟まるので、ドアＤが完全に閉じられるおそれがない。この結果、ドアＤが勢いよく閉じられた場合であっても、緩衝部１０の弾性変形によりドアＤの破損や衝撃音の発生を防止しつつ、指詰めを確実に防止することができる。緩衝部１０がドアＤを乗り越えた後は、ドアＤの開閉を繰り返しても緩衝部１０の位置は一定であり、把持部３０はドアＤを挟んで緩衝部１０と反対側に垂下する。
【００１３】
緩衝部１０が介在することによってドアＤとフレームＦとの間に生じる隙間は、取付用リング２２の取り付け位置を水平方向に移動することによって調整可能である。すなわち、取り付け位置をドアＤのヒンジＨ側（図２の矢示Ａ方向）に移動させると、閉鎖時にドアＤにおけるノブＫ側の側縁部又はヒンジＨ側の側縁部とフレームＦとの間に形成される隙間が大きくなる一方、取り付け位置をドアＤのノブＫ側（図２の矢示Ｂ方向）に移動させると、前記隙間が小さくなる。したがって、指詰めを生じない程度にドアＤが閉じられるような取り付け位置を設定することにより、指詰め防止具１を有効に機能させることができる。
【００１４】
ドアＤを完全に閉鎖する場合には、図３（ｃ）に示す状態で把持部３０をドアＤの表面に沿って引き下げる。これにより、緩衝部１０が引き上げられてドアＤの上縁を再び乗り越えるので（図３（ａ）参照）、通常通りドアＤを閉めることができる。このように、ドアＤを完全に閉鎖する必要が生じた場合においても、特に煩雑な手順を要することなく対応可能である。緩衝部１０への把持部３０の取付位置は、本実施形態のように緩衝部１０の最下端が好ましく、これによって緩衝部１０の引き上げが容易になり、ドアＤを完全に閉鎖する際の手順をスムーズに行うことができる。また、把持部３０の長さは、例えば、図３（ｂ）又は（ｃ）に示す状態において、指詰めのおそれがある子供の手が届かないような高さ位置に垂下するように設定することが好ましい。
【００１５】
以上、本発明の一実施形態について詳述したが、本発明の具体的な態様が上記実施形態に限定されるものではない。例えば、本実施形態においては、ドアＤの上縁を緩衝部１０が乗り越えやすくなるように緩衝部１０を球状体としているが、回転楕円体状、多面体状、立方体状、板状などの各種形状にすることも可能である。
【００１６】
また、本実施形態においては、支持部２０をゴム紐により構成しているが、緩衝部１０を所定位置に支持可能な部材であれば特に限定されず、弾性伸縮性は必ずしも必要でない。但し、支持部２０に弾性伸縮可能な部材を用いた場合には、緩衝部１０がドアＤを乗り越える際などに取付用リング２２に作用する引張力を支持部２０が伸びることによって緩和することができるので、取り付け部などに過度な力が作用するおそれがなく、耐久性を良好にすることができる。弾性伸縮可能な支持部２０の他の形態としては、ゴム帯やコイルばねなどを例示することができる。
【００１７】
また、本実施形態においては、紐状体をループ状に結着することにより把持部３０を構成しているが、支持部２０から垂下する把持可能な部材であれば特に限定されず、例えば、把持部３０の下端に握り部を設けて把持しやすいように構成してもよい。
【図面の簡単な説明】
【００１８】
【図１】本発明の一実施形態に係る指詰め防止具を示す正面図である。
【図２】図１に示す指詰め防止具の取り付け状態を示す正面図である。
【図３】図１に示す指詰め防止具の作用を説明するための斜視図である。
【符号の説明】
【００１９】
１  指詰め防止具
１０  緩衝部
１２  貫通孔
１４  抜止片
１４１  挿通リング
２０  支持部
２２  取付用リング
３０  把持部
Ｄ  ドア
Ｆ  フレーム
【図１】
2005036552.tif 000003
【図２】
2005036552.tif 000004
【図３】
2005036552.tif 000005